(57)【要約】【課題】この発明は、取得した複数の音声データをミクシングしそれに符号化処理を施して出力することを可能とすることにより、ユーザにとっての取り扱いを便利にし得るようにした音声ミクシング処理装置及び音声ミクシング処理方法を提供することを目的としている。【解決手段】複数の音声データが入力される入力手段４２１〜４２ｎ，４３１〜４３ｎ，４４１から４４ｎと、入力された複数の音声データをそれぞれ予め設定されたミクシング係数に基づいてミクシングするミクシング手段４５と、ミクシングされた音声データに符号化処理を施す符号化処理手段５０と、符号化された音声データを外部に出力するための出力手段５１とを備える。【選択図】    図３
2006197391.tif 000002
【特許請求の範囲】
【請求項１】
複数の音声データが入力される入力手段と、
前記入力手段に入力された複数の音声データを、それぞれ予め設定されたミクシング係数に基づいてミクシングするミクシング手段と、
前記ミクシング手段でミクシングされた音声データに符号化処理を施す符号化処理手段と、
前記符号化処理手段で符号化された音声データを外部に出力するための出力手段とを具備することを特徴とする音声ミクシング処理装置。
【請求項２】
前記ミクシング手段でミクシングされた音声データにダウンミックス処理を施し、音声データのチャンネル数を削減して前記符号化処理手段に供給するダウンミックス手段を具備することを特徴とする請求項１記載の音声ミクシング処理装置。
【請求項３】
前記ダウンミックス手段で削減する音声データのチャンネル数及び前記符号化処理手段で音声データに施す符号化処理の方式を設定可能な操作手段を具備することを特徴とする請求項２記載の音声ミクシング処理装置。
【請求項４】
前記ダウンミックス手段で削減する音声データのチャンネル数及び前記符号化処理手段で音声データに施す符号化処理の方式を、前記出力手段に接続された外部装置から取得した音声属性情報に基づいて設定可能な設定手段を具備することを特徴とする請求項２記載の音声ミクシング処理装置。
【請求項５】
前記ミクシング手段でミクシングされた音声データにサンプリング周波数の変換処理を施して前記符号化処理手段に供給する周波数変換手段を具備することを特徴とする請求項１記載の音声ミクシング処理装置。
【請求項６】
前記周波数変換手段で変換するサンプリング周波数及び前記符号化処理手段で音声データに施す符号化処理の方式を設定可能な操作手段を具備することを特徴とする請求項５記載の音声ミクシング処理装置。
【請求項７】
前記周波数変換手段で変換するサンプリング周波数及び前記符号化処理手段で音声データに施す符号化処理の方式を、前記出力手段に接続された外部装置から取得した音声属性情報に基づいて設定可能な設定手段を具備することを特徴とする請求項５記載の音声ミクシング処理装置。
【請求項８】
前記入力手段は、
符号化された音声データを含む複数の音声データが入力される入力部と、
前記入力部に入力された音声データのうち符号化された音声データに対して復号化処理を施して前記ミクシング手段に供給する音声復号化部とを具備することを特徴とする請求項１乃至７いずれかに記載の音声ミクシング処理装置。
【請求項９】
前記入力手段は、前記ミクシング手段に供給される複数の音声データのサンプリング周波数を同一にするための周波数変換部を具備することを特徴とする請求項１乃至７いずれかに記載の音声ミクシング処理装置。
【請求項１０】
複数の音声データを入力する第１の工程と、
前記第１の工程で入力された複数の音声データを、それぞれ予め設定されたミクシング係数に基づいてミクシングする第２の工程と、
前記第２の工程でミクシングされた音声データに符号化処理を施す第３の工程と、
前記第３の工程で符号化された音声データを外部に出力する第４の工程とを具備することを特徴とする音声ミクシング処理方法。
【請求項１１】
前記第２の工程でミクシングされた音声データにダウンミックス処理を施し、音声データのチャンネル数を削減して前記第３の工程での符号化処理に供させる第５の工程を具備することを特徴とする請求項１０記載の音声ミクシング処理方法。
【請求項１２】
前記第２の工程でミクシングされた音声データにサンプリング周波数の変換処理を施して前記第３の工程での符号化処理に供させる第６の工程を具備することを特徴とする請求項１０記載の音声ミクシング処理方法。
【請求項１３】
光ディスクを回転駆動するモータと、
前記モータにより回転駆動される前記光ディスクから信号を読み取るピックアップと、
前記ピックアップで読み取られた信号から複数の音声データを再生する再生手段と、
前記再生手段で再生された複数の音声データを、それぞれ予め設定されたミクシング係数に基づいてミクシングするミクシング手段と、
前記ミクシング手段でミクシングされた音声データに符号化処理を施す符号化処理手段と、
前記符号化処理手段で符号化された音声データを外部に出力するための出力手段とを具備することを特徴とする光ディスク装置。
【発明の詳細な説明】
【技術分野】
【０００１】
この発明は、例えば光ディスク装置等に使用される音声ミクシング処理装置及び音声ミクシング処理方法の改良に関する。
【背景技術】
【０００２】
周知のように、近年では、デジタル記録媒体としてＤＶＤ（digital versatile disk）等の光ディスクが普及している。また、これらを再生する光ディスク装置においては、高い信頼性が望まれている。
【０００３】
そして、ＤＶＤは規格自体も進化しており、現在、例えば、ＨＤ（high definition）ＤＶＤやblue-rayディスク等と称される、ハイビジョン対応の次世代ＤＶＤ規格も完成している。この次世代ＤＶＤ規格では、現世代ＤＶＤよりも格段に記録密度が高まるため、光ディスク装置としても、それに対応した高機能化を図ることが要求される。
【０００４】
例えば、次世代ＤＶＤ規格に対応した光ディスク装置は、光ディスクから取得した複数の音声データをミクシングして外部に出力することが可能である。しかしながら、この音声データのミクシング処理は、光ディスクから取得した複数のデジタル音声データを、それぞれ復号化してからでなければ行なうことができないものである。すなわち、光ディスク装置からは、光ディスクから取得した複数の音声データをミクシング処理した音声データが、復号化された状態でしか出力されないことになる。
【０００５】
このため、ミクシングされた音声データに対しては、光ディスク装置に外部ＡＶアンプ等の外部音声復号化装置をデジタル接続し、この外部音声復号化装置で音声データを復号化して聴取するという手法を採用することができず、アナログ接続によってしか聴取する手法がなく、ユーザにとって使い勝手が不便なものになっている。
【０００６】
特許文献１には、１つの音声信号を構成する５チャンネルの音声信号のうち、予めダウンミックスして生成した２チャンネルの再生専用信号と他のチャンネルの音声信号とを符号化して独立に記録することにより、２チャンネル再生専用信号を得るためのデコード処理を実行する復号装置を低コストで構成することが開示されている。
【０００７】
特許文献２には、光ディスクから読み取った映像符号化データを復号し、それを他の符号化方式で再符号化した映像符号化データと、光ディスクから読み取った音声符号化データを復号し、それを他の符号化方式で再符号化した音声符号化データとをメモリカード記録する構成が開示されている。
【０００８】
特許文献３には、第１映像符号列情報と第１オーディオ符号列情報とが多重化された第１ストリーム信号をデコードし、第１映像符号列情報よりもビットレートが低い第２映像符号列情報と第１オーディオ符号列情報よりもビットレートが低い第２オーディオ符号列情報とを生成し、これらを多重化する構成が開示されている。
【特許文献１】特開２００１−１００７９２号公報
【特許文献２】特開２００２−１３５７１７号公報
【特許文献３】特開２００２−１７５０９８号公報
【発明の開示】
【発明が解決しようとする課題】
【０００９】
そこで、この発明は上記事情を考慮してなされたもので、取得した複数の音声データをミクシングしそれに符号化処理を施して出力することを可能とすることにより、ユーザにとっての取り扱いを便利にし得るようにした音声ミクシング処理装置及び音声ミクシング処理方法を提供することを目的とする。
【課題を解決するための手段】
【００１０】
この発明に係る音声ミクシング処理装置は、複数の音声データが入力される入力手段と、入力手段に入力された複数の音声データを、それぞれ予め設定されたミクシング係数に基づいてミクシングするミクシング手段と、ミクシング手段でミクシングされた音声データに符号化処理を施す符号化処理手段と、符号化処理手段で符号化された音声データを外部に出力するための出力手段とを備えるようにしたものである。
【００１１】
また、この発明に係る音声ミクシング処理方法は、複数の音声データを入力する第１の工程と、第１の工程で入力された複数の音声データを、それぞれ予め設定されたミクシング係数に基づいてミクシングする第２の工程と、第２の工程でミクシングされた音声データに符号化処理を施す第３の工程と、第３の工程で符号化された音声データを外部に出力する第４の工程とを備えるようにしたものである。
【発明の効果】
【００１２】
上記した構成及び方法によれば、複数の音声データをミクシング処理した後、符号化処理手段により符号化して外部に出力することを可能としているので、例えば、外部の音声復号化装置をデジタル接続し、この音声復号化装置を用いて、ミクシング後の音声データを復号化して聴取するという手法を採用することが可能となり、ユーザにとっての取り扱いを便利にすることが可能となる。
【発明を実施するための最良の形態】
【００１３】
以下、この発明の実施の形態について図面を参照して詳細に説明する。この実施の形態に係る光ディスク装置は、図１及び図２に示すような構成を有している。ここで、光ディスク１１としては、ユーザデータを記録（または書き替え）可能な光ディスク、あるいは読み出し専用の光ディスクが対象となるが、この実施の形態では記録（または書き替え）可能な次世代ＤＶＤを含む光ディスクとして説明を行なう。
【００１４】
記録または書き替え可能な光ディスク１１としては、例えば、波長４０５ｎｍ前後の青色系レーザ光を用いた次世代ＤＶＤ−ＲＡＭ（random access memory）、ＤＶＤ−ＲＷ（rewritable）、ＤＶＤ−Ｒ（recordable）等や、あるいは波長６５０ｎｍ前後の赤色系レーザ光を用いた現世代ＤＶＤ−ＲＡＭ、ＤＶＤ−ＲＷ、ＤＶＤ−Ｒ等がある。
【００１５】
光ディスク１１の表面には、スパイラル状にランドトラック及びグルーブトラックが形成されている。この光ディスク１１は、スピンドルモータ１２によって回転駆動される。このスピンドルモータ１２は、モータ制御回路１３によってその回転速度が制御されている。
【００１６】
光ディスク１１に対する情報の記録、再生は、ピックアップ１４によって行なわれる。ピックアップ１４は、スレッドモータ１５とギアを介して連結されている。このスレッドモータ１５は、データバス１６に接続されるスレッドモータドライバ１７により制御される。スレッドモータ１５の固定部には、図示しない永久磁石が設けられており、図示しない駆動コイルが励磁されることにより、ピックアップ１４が光ディスク１１の半径方向に移動する。
【００１７】
ピックアップ１４には、図２に示すように対物レンズ１８が設けられている。対物レンズ１８は、駆動コイル１９の駆動によりフォーカシング方向（レンズの光軸方向）への移動が可能で、また、駆動コイル２０の駆動によりトラッキング方向（レンズの光軸と直交する方向）への移動が可能であって、レーザ光のビームスポットを移動することで、トラックジャンプを行なうことができる。
【００１８】
変調回路２１は、情報記録時にホスト装置２２からインタフェース回路２３を介して供給されるユーザデータを例えば８−１４変調（ＥＦＭ：eight to fourteen modulation）して、ＥＦＭデータを生成する。レーザ制御回路２４は、情報記録時（マーク形成時）に、変調回路２１から供給されたＥＦＭデータに基づいて、書き込み用信号を半導体レーザダイオード２５に提供する。
【００１９】
また、レーザ制御回路２４は、情報読み取り時には書き込み信号より小さい読み取り用信号を半導体レーザダイオード２５に提供する。
【００２０】
半導体レーザダイオード２５は、レーザ制御回路２４から供給される書き込み用信号に応じてレーザ光を発生する。半導体レーザダイオード２５から発せられるレーザ光は、コリメータレンズ２６、ハーフプリズム２７、光学系２８、対物レンズ１８を介して光ディスク１１上に照射される。光ディスク１１からの反射光は、対物レンズ１８、光学系２８、ハーフプリズム２７、集光レンズ２９を介して、光検出器３０に導かれる。
【００２１】
光検出器３０は４分割の光検出セルからなり、信号Ａ，Ｂ，Ｃ，ＤをＲＦ（radio frequency）アンプ３１に供給する。ＲＦアンプ３１は、例えばプッシュプル方式を採用して（Ａ＋Ｄ）−（Ｂ＋Ｃ）に対応するトラッキングエラー信号ＴＥをトラッキング制御部３２に供給し、例えば非点収差法を採用して（Ａ＋Ｃ）−（Ｂ＋Ｄ）に対応するフォーカスエラー信号ＦＥをフォーカシング制御部３３に供給する。
【００２２】
さらに、ＲＦアンプ３１は、例えば前記の（Ａ＋Ｄ）−（Ｂ＋Ｃ）に対応するウォブル信号ＷＢをウォブルＰＬＬ部／アドレス検出部３４に供給し、（Ａ＋Ｄ）＋（Ｂ＋Ｃ）に対応するＲＦ信号をデータ再生部３５に供給する。
【００２３】
一方、フォーカシング制御部３３の出力信号は、フォーカシング方向の駆動コイル１９に供給される。これにより、レーザ光が光ディスク１１の記録膜上に常時ジャストフォーカスとなる制御がなされる。また、トラッキング制御部３２は、トラッキングエラー信号ＴＥに応じてトラック駆動信号を生成し、トラッキング方向の駆動コイル２０に供給している。
【００２４】
上記フォーカシング制御及びトラッキング制御がなされることで、光検出器３０の光検出セルの出力信号の和信号ＲＦは、記録情報に対応して光ディスク１１のトラック上に形成されたピット等からの反射率の変化が反映される。この信号は、データ再生部３５に供給される。
【００２５】
データ再生部３５は、ＰＬＬ回路３６からの再生用クロック信号に基づき、記録データを再生する。また、データ再生部３５は信号ＲＦの振幅を測定する機能を有し、該測定値はＣＰＵ（central processing unit）３７によって読み出される。
【００２６】
上記トラッキング制御部３２によって対物レンズ１８が制御されているとき、対物レンズ１８が光ディスク１１の最適位置となるように、スレッドモータ１５が制御されることで、ピックアップ１４が制御される。
【００２７】
モータ制御回路１３、レーザ制御回路２４、フォーカシング制御部３３、トラッキング制御部３２、データ再生部３５、ＰＬＬ回路３６等は、サーボ制御回路として１つのＬＳＩチップ内に構成することができる。
【００２８】
また、これらの回路部は、バス１６を介してＣＰＵ３７によって制御される。ＣＰＵ３７は、インタフェース回路２３を介してホスト装置２２から提供される動作コマンド、または、後述する操作部からの操作情報に基づいて、この光ディスク装置を総合的に制御している。
【００２９】
さらに、ＣＰＵ３７は、ＲＡＭ３８を作業エリアとして使用し、ＲＯＭ（read only memory）３９に記録されたプログラムにしたがって所定の動作を行なう。
【００３０】
そして、上記データ再生部３５で再生されたデータは、エラー訂正処理回路４０によってエラー訂正処理が施された後、映像、副映像及び音声等の再生に供される。
【００３１】
この場合、エラー訂正処理が施された後の複数のデジタル音声データは、音声ミクシング処理部４１に供給されてミクシングされ、この光ディスク装置の外部に出力可能となっている。
【００３２】
図３は、音声ミクシング処理部４１の第１の例を示している。すなわち、エラー訂正処理後の複数のデジタル音声データは、それぞれ、音声入力端子４２１，４２２，…，４２ｎに供給される。
【００３３】
そして、これら音声入力端子４２１，４２２，…，４２ｎに供給された音声データは、それぞれ、音声復号化部４３１，４３２，…，４３ｎに供給されることにより復号化処理が施される。
【００３４】
その後、各音声復号化部４３１，４３２，…，４３ｎから出力された音声データは、それぞれ、周波数変換部４４１，４４２，…，４４ｎに供給されてサンプリング周波数を同一にするためのサンプリング周波数変換処理が施される。
【００３５】
そして、各周波数変換部４４１，４４２，…，４４ｎから出力された音声データは、それぞれ、音声ミクシング部４５に供給される。この音声ミクシング部４５は、入力された各音声データに対して、それぞれ、ミクシング係数保持部４６に保持されたミクシング係数１，２，…，ｎに基づいてミクシング処理を実行する。
【００３６】
その後、音声ミクシング部４５でミクシングされた音声データは、Ｄ／Ａ（digital／analog）変換部４７でアナログ化され、音声出力端子４８を介して外部のスピーカ４９に供給されて音声再生に供される。
【００３７】
また、上記音声ミクシング部４５でミクシングされた音声データは、音声符号化処理部５０に供給されて再符号化処理が施される。そして、この音声符号化処理部５０で再符号化された音声データは、音声出力端子５１を介して、例えばＩＥＣ（international electrotechnical commission）６０９５８規格、ＩＥＥＥ（institute of electrical and electronics engineers）１３９４規格、ＨＤＭＩ（high definition multimedia interface）規格等に準拠してデジタル接続された、外部の音声復号化装置５２に供給される。
【００３８】
この音声復号化装置５２は、例えばＡＶアンプ等であり、入力された符号化音声データに対して復号化処理を施した後、Ｄ／Ａ変換してアナログ化しスピーカ５３に出力して音声再生させる。
【００３９】
図３に示した構成の音声ミクシング処理部４１によれば、各音声復号化部４３１，４３２，…，４３ｎでそれぞれ復号化処理した音声データを、音声ミクシング部４５によってミクシング処理した後、音声符号化処理部５０により再符号化して外部に出力することを可能としている。
【００４０】
これにより、光ディスク装置に音声復号化装置５２をデジタル接続し、この音声復号化装置５３を用いて、ミクシング後の音声データを復号化して聴取するという手法を採用することが可能となり、ユーザにとっての取り扱いを便利にすることが可能となる。
【００４１】
図４は、上記音声ミクシング処理部４１の第２の例を示している。すなわち、図３と同一部分には同一符号を付して説明すると、音声ミクシング部４５でミクシング処理された音声データを、ダウンミックス処理部５４に供給してチャンネル数を減らした後に、音声符号化処理部５０に供給するようにしている。
【００４２】
すなわち、音声ミクシング部４５でミクシングされた音声データのチャンネル数が、音声復号化装置５２で復号化処理が不可能なチャンネル数である場合に、ダウンミックス処理部５４によって音声データのチャンネル数を減らしてから、音声符号化処理部５０で再符号化するようにしている。このようにすれば、ユーザにとっての取り扱いをより便利にすることができる。
【００４３】
図５は、上記音声ミクシング処理部４１の第３の例を示している。すなわち、図３と同一部分には同一符号を付して説明すると、音声ミクシング部４５でミクシング処理された音声データを、周波数変換部５５に供給してサンプリング周波数を変換した後に、音声符号化処理部５０に供給するようにしている。
【００４４】
すなわち、音声ミクシング部４５でミクシングされた音声データのサンプリング周波数が、音声復号化装置５２で復号化処理が不可能なサンプリング周波数である場合に、周波数変換部５５によって音声データのサンプリング周波数を変換してから、音声符号化処理部５０で再符号化するようにしている。このようにすれば、ユーザにとっての取り扱いをより便利にすることができる。
【００４５】
図６は、上記音声ミクシング処理部４１の第４の例を示している。すなわち、図３と同一部分には同一符号を付して説明すると、音声ミクシング部４５でミクシング処理された音声データを、図４で説明したダウンミックス処理部５４及び図５で説明した周波数変換部５５を介した後に、音声符号化処理部５０に供給するようにしたものである。
【００４６】
図６に示す構成によれば、例えば、音声ミクシング部４５でミクシングされた音声データのチャンネル数が８で、サンプリング周波数が９６ｋＨｚであり、音声復号化装置５２で復号化処理が可能な音声データのチャンネル数が６で、サンプリング周波数が４８ｋＨｚである場合、音声ミクシング部４５でミクシングされた音声データのチャンネル数をダウンミックス処理により６に減らし、サンプリング周波数を周波数変換部５５により４８ｋＨｚに変換することが可能となる。
【００４７】
図７及び図８は、図６に示す構成の音声ミクシング処理部４１の主要な動作をまとめたフローチャートを示している。すなわち、処理が開始（ステップＳ１）されると、光ディスク装置のＣＰＵ３７は、ステップＳ２で、光ディスク１１の再生開始が要求されたか否かを判別する。
【００４８】
そして、要求されたと判断された場合（ＹＥＳ）、ＣＰＵ３７は、ステップＳ３で、光ディスク１１から複数の音声データを取得し、ステップＳ４で、各音声復号化部４３１，４３２，…，４３ｎによりそれぞれ復号化処理を行なわせる。
【００４９】
その後、ＣＰＵ３７は、ステップＳ５で、復号化された各音声データのサンプリング周波数が同じか否かを判別し、同じでないと判断された場合（ＮＯ）、ステップＳ６で、周波数変換部４４１，４４２，…，４４ｎにより各音声データのサンプリング周波数が同一になるように変換する。
【００５０】
そして、このステップＳ６の後、または、上記ステップＳ５で各音声データのサンプリング周波数が同じであると判断された場合（ＹＥＳ）、ＣＰＵ３７は、ステップＳ７で、各音声データをミクシング処理する。
【００５１】
その後、ＣＰＵ３７は、ステップＳ８で、ミクシングされた音声データのチャンネル数が外部に接続されている音声復号化装置５２で復号化処理の可能なチャンネル数であるか否かを判別し、復号化処理の可能なチャンネル数でないと判断された場合（ＮＯ）、ステップＳ９で、ダウンミックス処理部５４により各音声データをダウンミックスして音声データのチャンネル数を削減する。
【００５２】
そして、このステップＳ９の後、または、上記ステップＳ８でミクシング後の音声データのチャンネル数が音声復号化装置５２で復号化処理の可能なチャンネル数であると判断された場合（ＹＥＳ）、ＣＰＵ３７は、ステップＳ１０で、ミクシング後の音声データのサンプリング周波数が、音声復号化装置５２で復号化処理が可能なサンプリング周波数であるか否かを判別する。
【００５３】
ここで、音声復号化装置５２で復号化処理が可能なサンプリング周波数であると判断された場合（ＹＥＳ）、ＣＰＵ３７は、ステップＳ１１で、音声符号化処理部５０によりミクシング後の音声データに再符号化処理を施し、ステップＳ１２で、外部の音声復号化装置５２に出力して、処理を終了（ステップＳ１３）する。
【００５４】
また、上記ステップＳ１０でミクシング後の音声データのサンプリング周波数が、音声復号化装置５２で復号化処理が可能なサンプリング周波数でないと判断された場合（ＮＯ）、
ＣＰＵ３７は、ステップＳ１４で、音声データのサンプリング周波数が音声復号化装置５２で復号化処理可能なサンプリング周波数よりも低いか否かを判別する。
【００５５】
そして、低いと判断された場合（ＹＥＳ）、ＣＰＵ３７は、ステップＳ１５で、周波数変換部５５により音声データに対してサンプリング周波数を高くするように、いわゆるアップサンプリング処理を施し、ステップＳ１１の処理に移行される。
【００５６】
また、上記ステップＳ１４で音声データのサンプリング周波数が音声復号化装置５２で復号化処理可能なサンプリング周波数よりも低くないと判別された場合（ＮＯ）、ＣＰＵ３７は、ステップＳ１６で、周波数変換部５５により音声データに対してサンプリング周波数を低くするように、いわゆるダウンサンプリング処理を施し、ステップＳ１１の処理に移行される。
【００５７】
ここで、上記ダウンミックス処理部５４により削減する音声データのチャンネル数、周波数変換部５５により変換するサンプリング周波数、音声符号化処理部５０による音声符号化方式等は、ユーザが光ディスク装置に外部接続する音声復号化装置５２に対応させて操作により設定する手法がある。
【００５８】
図９は、音声データのチャンネル数、サンプリング周波数及び音声符号化方式等をユーザの操作で設定可能とした、上記音声ミクシング処理部４１の第５の例を示している。すなわち、図６と同一部分には同一符号を付して説明すると、操作部５６の操作情報が入力端子５７を介して操作制御部５８に供給される。
【００５９】
すると、操作制御部５８は、入力された操作情報を解析し、その操作情報を反映するように、ダウンミックス処理部５４、周波数変換部５５及び音声符号化処理部５０を制御して、ここに、ユーザの操作による音声データのチャンネル数、サンプリング周波数及び音声符号化方式等の設定が可能となる。
【００６０】
また、光ディスク装置と音声復号化装置５２とがＨＤＭＩ規格に準拠してデジタル接続される場合は、光ディスク装置のＣＰＵ３７は、音声復号化装置５２のＥＤＩＤ（extended display identification）データから、その音声属性情報（音声データのチャンネル数、サンプリング周波数、音声符号化方式等）を取得し、この音声属性情報に応じて自動的にダウンミックス処理部５４、周波数変換部５５及び音声符号化処理部５０を制御することができる。
【００６１】
図１０は、光ディスク装置のＣＰＵ３７が音声復号化装置５２からＥＤＩＤデータを取得する動作をまとめたフローチャートを示している。すなわち、処理が開始（ステップＳ１７）されると、ＣＰＵ３７は、ステップＳ１８で、音声復号化装置５２が接続されたか否かを判別する。
【００６２】
そして、音声復号化装置５２が接続されたと判別された場合（ＹＥＳ、ＣＰＵ３７は、ステップＳ１９で、音声復号化装置５２に要求してＥＤＩＤデータを取得し、ステップＳ２０で、取得したＥＤＩＤデータを前記ＲＡＭ３８に記憶させて、処理を終了（ステップＳ２１）する。これにより、外部接続されている音声復号化装置５２の音声属性情報がＲＡＭ３８に格納されることになる。
【００６３】
図１１は、このようにしてＲＡＭ３８に格納された音声属性情報を用いて、音声データのチャンネル数、サンプリング周波数及び音声符号化方式等を自動設定する、上記音声ミクシング処理部４１の第６の例を示している。
【００６４】
すなわち、図６と同一部分には同一符号を付して説明すると、音声ミクシング処理部４１に設けられ、ＣＰＵ３７によって制御される制御部５９が、必要に応じてＲＡＭ３８から入力端子６０を介して音声属性情報を入手し、自動的にダウンミックス処理部５４、周波数変換部５５及び音声符号化処理部５０を制御している。
【００６５】
ここで、上記した実施の形態では、光ディスク装置を例にとり、音声ミクシング処理部４１が、光ディスク１１から取得された複数の音声データをミクシングすることについて説明したが、複数の音声データは、１つの光ディスク１１から得られるだけに限らず、各種の音声供給ソースから得ることができる。
【００６６】
例えば、音声入力端子４２１には、ＤＶＤから取得した音声データが入力され、音声入力端子４２２には、ネットワークを介してサーバから取得した音声データが入力され、他の音声入力端子には、放送信号から取得した音声データが入力される等、ミクシングされる音声データは各種の音声供給ソースから得ることができる。
【００６７】
また、音声ミクシング処理部４１に入力される複数の音声データとして、いずれも、復号化処理する必要のないものしか取り扱わない場合には、各音声復号化部４３１，４３２，…，４３ｎを削除することができる。さらに、複数の音声データとして、サンプリング周波数が全て同じものしか取り扱わない場合には、各周波数変換部４４１，４４２，…，４４ｎも削除することができる。
【００６８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６９】
【図１】この発明の実施の形態を示すもので、光ディスク装置を説明するために示すブロック構成図。
【図２】同実施の形態における光ディスク装置のピックアップを説明するために示す図。
【図３】同実施の形態における光ディスク装置の音声ミクシング処理部の第１の例を説明するために示すブロック構成図。
【図４】同実施の形態における光ディスク装置の音声ミクシング処理部の第２の例を説明するために示すブロック構成図。
【図５】同実施の形態における光ディスク装置の音声ミクシング処理部の第３の例を説明するために示すブロック構成図。
【図６】同実施の形態における光ディスク装置の音声ミクシング処理部の第４の例を説明するために示すブロック構成図。
【図７】同実施の形態における光ディスク装置の音声ミクシング処理部の主要な動作の一部を説明するために示すフローチャート。
【図８】同実施の形態における光ディスク装置の音声ミクシング処理部の主要な動作の残部を説明するために示すフローチャート。
【図９】同実施の形態における光ディスク装置の音声ミクシング処理部の第５の例を説明するために示すブロック構成図。
【図１０】同実施の形態における光ディスク装置が外部接続された音声復号化装置からＥＤＩＤデータを取得する動作を説明するために示すフローチャート。
【図１１】同実施の形態における光ディスク装置の音声ミクシング処理部の第６の例を説明するために示すブロック構成図。
【符号の説明】
【００７０】
１１…光ディスク、１２…スピンドルモータ、１３…モータ制御回路、１４…ピックアップ、１５…スレッドモータ、１６…バス、１７…スレッドモータドライバ、１８…対物レンズ、１９，２０…駆動コイル、２１…変調回路、２２…ホスト装置、２３…インタフェース回路、２４…レーザ制御回路、２５…半導体レーザダイオード、２６…コリメータレンズ、２７…ハーフプリズム、２８…光学系、２９…集光レンズ、３０…光検出器、３１…ＲＦアンプ、３２…トラッキング制御部、３３…フォーカシング制御部、３４…ウォブルＰＬＬ／アドレス検出部、３５…データ再生部、３６…ＰＬＬ回路、３７…ＣＰＵ、３８…ＲＡＭ、３９…ＲＯＭ、４０…エラー訂正回路、４１…音声ミクシング処理部、４２１〜４２ｎ…音声入力端子、４３１〜４３ｎ…音声復号化部、４４１〜４４ｎ…周波数変換部、４５…音声ミクシング部、４６…ミクシング係数保持部、４７…Ｄ／Ａ変換部、４８…音声出力端子、４９…スピーカ、５０…音声符号化処理部、５１…音声出力端子、５２…音声復号化装置、５３…スピーカ、５４…ダウンミックス処理部、５５…周波数変換部、５６…操作部、５７…入力端子、５８…操作制御部、５９…制御部、６０…入力端子。
【図１】
2006197391.tif 000003
【図２】
2006197391.tif 000004
【図３】
2006197391.tif 000005
【図４】
2006197391.tif 000006
【図５】
2006197391.tif 000007
【図６】
2006197391.tif 000008
【図７】
2006197391.tif 000009
【図８】
2006197391.tif 000010
【図９】
2006197391.tif 000011
【図１０】
2006197391.tif 000012
【図１１】
2006197391.tif 000013